(57)【要約】【課題】閲覧者に有用なサムネイルを提示することができる処理装置を提供する。【解決手段】処理装置は、表示装置からフォルダを指定されると、該フォルダに格納されたコンテンツファイルから生成された第１のサムネイルを表示する（Ｓ１０１）。そして、処理装置は、第１のサムネイルの表示の後に、第１のサムネイルを第２のサムネイルに切り替える（Ｓ１０５）。切り替える処理として、処理装置は、パラメータごとに取得されたコンテンツファイルについての特徴量に基づいて、コンテンツファイルのうちの特徴領域を抽出し（Ｓ１０７）、抽出された特徴領域から第２のサムネイルを作成する（Ｓ１０９）。【選択図】図６
2015060514.tif 000002
【特許請求の範囲】
【請求項１】
コンテンツファイルからサムネイルを作成し、表示装置に表示する処理を行なう装置であって、
前記コンテンツファイルについての特徴量をパラメータごとに取得するための特徴量取得手段と、
前記特徴量に基づいて、前記コンテンツファイルのうちの特徴領域を抽出するための抽出手段と、
前記特徴領域から前記サムネイルを作成するための作成手段と、
前記サムネイルを前記表示装置に表示するための表示手段と、
前記作成手段で作成された第１のサムネイルが前記表示装置に表示された後に、前記特徴領域から作成された第２のサムネイルに切り替えるための切替手段とを備える、処理装置。
【請求項２】
前記パラメータの選択を受け付けるための選択手段をさらに備え、
前記第２のサムネイルは、前記第１のサムネイルが表示された後に選択された前記パラメータの選択を受け付け、選択された前記パラメータに関する前記特徴量に基づいて抽出された前記特徴領域から作成されたサムネイルである、請求項１に記載の処理装置。
【請求項３】
ユーザによる前記表示装置の閲覧状況を検出するための検出手段をさらに備え、
前記切替手段は、前記第１のサムネイルが表示された後に前記検出手段によって検出された前記閲覧状況に応じて前記第１のサムネイルを前記第２のサムネイルに切り替える、請求項１に記載の処理装置。
【請求項４】
前記第２のサムネイルは、前記第１のサムネイルの表示の後に前記検出手段が前記表示装置を閲覧しているユーザを検出し、検出された前記ユーザに関連付けて記憶されている前記特徴量に基づく前記特徴領域から作成されたサムネイルである、請求項３に記載の処理装置。
【請求項５】
前記第１のサムネイルの表示の後に前記検出手段が前記表示装置を閲覧している複数のユーザを検出すると、前記切替手段は、前記第１のサムネイルを、前記複数のユーザそれぞれに関連付けて記憶されている前記特徴量に基づく前記特徴領域から作成された複数の前記第２のサムネイルに切り替え、
前記表示手段は、前記複数の第２のサムネイルを併せて表示する、請求項４に記載の処理装置。
【請求項６】
前記検出手段は、前記複数のユーザの前記表示装置に対する閲覧方向も検出し、
前記表示手段は、前記複数の第２のサムネイルを前記閲覧方向に応じた方向に表示する、請求項５に記載の処理装置。
【請求項７】
コンテンツファイルからサムネイルを作成して表示装置に表示する処理の方法であって、
前記表示装置に前記コンテンツファイルから生成された第１のサムネイルを表示するステップと、
前記第１のサムネイルの表示の後に、前記第１のサムネイルを第２のサムネイルに切り替えるステップとを備え、
前記切り替えるステップは、
パラメータごとに取得された前記コンテンツファイルについての特徴量に基づいて、前記コンテンツファイルのうちの特徴領域を抽出するステップと、
前記特徴領域から前記第２のサムネイルを作成するステップとを含む、処理方法。
【請求項８】
コンピュータに、コンテンツファイルからサムネイルを作成して表示装置に表示する処理を実行させるプログラムであって、
前記表示装置に前記コンテンツファイルから生成された第１のサムネイルを表示するステップと、
前記第１のサムネイルの表示の後に、前記第１のサムネイルを第２のサムネイルに切り替えるステップとを前記コンピュータに実行させ、
前記切り替えるステップは、
パラメータごとに取得された前記コンテンツファイルについての特徴量に基づいて、前記コンテンツファイルのうちの特徴領域を抽出するステップと、
前記特徴領域から前記第２のサムネイルを作成するステップとを含む、処理プログラム。
【発明の詳細な説明】
【技術分野】
【０００１】
この発明は処理装置、処理方法、および処理プログラムに関し、特に、コンテンツファイルのサムネイルに関する処理を行なう処理装置、その処理方法、および処理プログラムに関する。
【背景技術】
【０００２】
あるフォルダに含まれる文書ファイルや動画ファイルなどのコンテンツファイルの一覧を示す場合、また、あるコンテンツファイルを構成する構成要素（たとえばページ、フレームなど）を示すサムネイルを提示する場合に、他のコンテンツファイルと容易に識別可能なように領域を抽出する技術が様々提案されている。たとえば特開２０１２−８６４４号公報（以下、特許文献１）は、複数のファイルそれぞれから抽出した領域間の特徴を比較して類似する場合には領域を変更する技術を開示している。また、国際公開ＷＯ２００７／１１６７０５号公報（以下、特許文献２）は、所定の規則でファイルから一部を切り出してサムネイル画像を生成する技術を開示している。さらに、特開２０１３−２５３３１号公報（以下、特許文献３）は、ユーザとの関連性の高い領域を用いてサムネイルを作成する技術を開示している。
【先行技術文献】
【特許文献】
【０００３】
【特許文献１】特開２０１２−８６４４号公報
【特許文献２】国際公開ＷＯ２００７／１１６７０５号公報
【特許文献３】特開２０１３−２５３３１号公報
【発明の概要】
【発明が解決しようとする課題】
【０００４】
サムネイルには、コンテンツファイルの内容を把握し易いものという要求の他、他のコンテンツファイルと区別し易いものという要求もあり、上記の特許文献に開示された技術を用いてもそれらを同時に満たすことが難しい場合がある。また、上記の特許文献に開示された技術を用いていったん最適なサムネイルを作成して表示したとしても、表示後に状況が変化する場合もある。そのため、状況が変化した後には最適なサムネイルとはなっていない場合もある、という問題がある。
【０００５】
本発明はこのような問題に鑑みてなされたものであって、閲覧者に有用なサムネイルを提示することができる処理装置、処理方法、および処理プログラムを提供することを目的としている。
【課題を解決するための手段】
【０００６】
上記目的を達成するために、本発明のある局面に従うと、処理装置はコンテンツファイルからサムネイルを作成し、表示装置に表示する処理を行なう装置であって、コンテンツファイルについての特徴量をパラメータごとに取得するための特徴量取得手段と、特徴量に基づいて、コンテンツファイルのうちの特徴領域を抽出するための抽出手段と、特徴領域からサムネイルを作成するための作成手段と、サムネイルを表示装置に表示するための表示手段と、作成手段で作成された第１のサムネイルが表示装置に表示された後に、特徴領域から作成された第２のサムネイルに切り替えるための切替手段とを備える。
【０００７】
好ましくは、処理装置はパラメータの選択を受け付けるための選択手段をさらに備え、第２のサムネイルは、第１のサムネイルが表示された後に選択されたパラメータの選択を受け付け、選択されたパラメータに関する特徴量に基づいて抽出された特徴領域から作成されたサムネイルである。
【０００８】
好ましくは、処理装置はユーザによる表示装置の閲覧状況を検出するための検出手段をさらに備え、切替手段は、第１のサムネイルが表示された後に検出手段によって検出された閲覧状況に応じて第１のサムネイルを第２のサムネイルに切り替える。
【０００９】
より好ましくは、第２のサムネイルは、第１のサムネイルの表示の後に検出手段が表示装置を閲覧しているユーザを検出し、検出されたユーザに関連付けて記憶されている特徴量に基づく特徴領域から作成されたサムネイルである。
【００１０】
より好ましくは、第１のサムネイルの表示の後に検出手段が表示装置を閲覧している複数のユーザを検出すると、切替手段は、第１のサムネイルを、複数のユーザそれぞれに関連付けて記憶されている特徴量に基づく特徴領域から作成された複数の第２のサムネイルに切り替え、表示手段は、複数の第２のサムネイルを併せて表示する。
【００１１】
より好ましくは、検出手段は複数のユーザの表示装置に対する閲覧方向も検出し、表示手段は、複数の第２のサムネイルを閲覧方向に応じた方向に表示する。
【００１２】
本発明の他の局面に従うと、処理方法はコンテンツファイルからサムネイルを作成して表示装置に表示する処理の方法であって、表示装置にコンテンツファイルから生成された第１のサムネイルを表示するステップと、第１のサムネイルの表示の後に、第１のサムネイルを第２のサムネイルに切り替えるステップとを備え、切り替えるステップは、パラメータごとに取得されたコンテンツファイルについての特徴量に基づいて、コンテンツファイルのうちの特徴領域を抽出するステップと、特徴領域から第２のサムネイルを作成するステップとを含む。
【００１３】
本発明のさらに他の局面に従うと、処理プログラムは、コンピュータにコンテンツファイルからサムネイルを作成して表示装置に表示する処理を実行させるプログラムであって、表示装置にコンテンツファイルから生成された第１のサムネイルを表示するステップと、第１のサムネイルの表示の後に、第１のサムネイルを第２のサムネイルに切り替えるステップとをコンピュータに実行させ、切り替えるステップは、パラメータごとに取得されたコンテンツファイルについての特徴量に基づいて、コンテンツファイルのうちの特徴領域を抽出するステップと、特徴領域から第２のサムネイルを作成するステップとを含む。
【発明の効果】
【００１４】
この発明によると、閲覧者に有用なサムネイルを提示することができる。
【図面の簡単な説明】
【００１５】
【図１】実施の形態にかかる表示システムの構成の具体例、および表示システムに含まれる各装置の構成の具体例を示す図である。
【図２】第１の実施の形態にかかる表示システムの動作概要を説明するための図である。
【図３】第１の実施の形態にかかる表示システムの動作概要を説明するための図である。
【図４】表示システムに含まれるサーバの機能構成の具体例を示すブロック図である。
【図５】特徴量の取得データの具体例を示す図である。
【図６】第１の実施の形態にかかるサーバでの動作の流れを表わすフローチャートである。
【図７】第１の実施の形態での表示例を表わした図である。
【図８】第２の実施の形態にかかるサーバでの動作の流れを表わすフローチャートである。
【図９】第３の実施の形態にかかるサーバでの動作の流れを表わしたフローチャートである。
【図１０】第３の実施の形態での表示例を表わした図である。
【図１１】第３の実施の形態での表示例を表わした図である。
【発明を実施するための形態】
【００１６】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１７】
＜装置構成＞
図１は、本実施の形態にかかる表示システムの構成の具体例、および表示システムに含まれる各装置の構成の具体例を示す図である。図１を参照して、表示システムは、表示装置にサムネイルを表示する処理を行なう処理装置の一例であるサーバ１００と、表示装置の一例としての端末装置３００とを含む。サーバ１００と端末装置３００とはインターネット等のネットワークを介して相互に通信可能である。なお、この例では、表示システムがサーバ１００と端末装置３００との別個の装置を含むものとしているが、表示装置が処理装置を含んでもよい。
【００１８】
サーバ１００は、一般的なコンピュータで構成され得る。図１には、サーバ１００の構成として一般的なコンピュータの装置構成が示されている。すなわち、図１を参照して、サーバ１００は、装置全体を制御するためのＣＰＵ（Central  Processing  Unit）１０と、ＣＰＵ１０で実行されるプログラムなどを記憶するためのメモリであるＲＯＭ（Read  Only  Memory）１１と、ＣＰＵ１０がプログラムを実行する際の作業領域となったりＣＰＵ１０でのプログラムの実行に必要なデータを記憶したりするメモリであるＲＡＭ（Random  Access  Memory）１２と、ファイルなどのデータを記憶するためのＨＤＤ（Hard  Disk  Drive）１３と、マウスやキーボード、または記憶媒体の読取装置などであって情報を入力するための入力装置１４と、上記ネットワークを介して端末装置３００と通信するためのネットワークコントローラ１５とを含む。
【００１９】
端末装置３００は、いわゆるタブレットと呼ばれる装置や小型の携帯型ＰＣ（パーソナルコンピュータ）などが該当する。図１には、さらに、一般的な端末装置の装置構成が示されている。すなわち、図１を参照して、端末装置３００は、装置全体を制御するためのＣＰＵ３０と、ＣＰＵ３０で実行されるプログラムなどを記憶するためのメモリであるＲＯＭ３１と、ＣＰＵ１０がプログラムを実行する際の作業領域となったり各種データを記憶したりするためのメモリであるＲＡＭ３２と、タッチパネル３３と、上記ネットワークを介してサーバ１００と通信するためのネットワークコントローラ３４とを含む。なお、端末装置３００に搭載される表示装置はタッチパネルに限定されず、ＬＣＤ（Liquid  Crystal  Display）などの通常のディスプレイであってもよい。
【００２０】
［第１の実施の形態］
＜動作概要＞
図２および図３は、第１の実施の形態にかかる表示システムの動作概要を説明するための図であって、表示装置である端末装置３００の表示画面の具体例を示す図である。第１の実施の形態にかかる表示システムは、表示装置である端末装置３００でサーバ１００の記憶領域（フォルダ）を指定して当該フォルダに保持されているコンテンツファイル（以下、ファイルと略する）一覧を表示する際に、第１段階として、各ファイルのデフォルトのサムネイルである第１のサムネイルを表示する（図２）。図２の例では、ファイルＨ，Ｊ，Ｋ，Ｌ，Ｎ，Ｑ，Ｒ，Ｔそれぞれの第１ページから生成されたサムネイルがデフォルトのサムネイル（第１のサムネイル）として表示されている。
【００２１】
このとき、ファイル一覧の表示画面には、サムネイル生成に用いるための、後述するパラメータの選択肢も併せて表示される。図２の画面例ではパラメータ１〜５が選択可能に表示されている。なお、パラメータ１〜５の表示は、指示されたときには隠す、または、指示されたときのみに表示するようにしてもよい。
【００２２】
図２の画面例でいずれかのパラメータが選択されると、表示システムは、第２段階として、第１のサムネイルを選択されたパラメータに基づいて当該ファイルから抽出された特徴領域から生成されたサムネイル（第２のサムネイル）に切り替える（図３）。図３の画面例では、ファイルＫについては第２ページから生成された第２のサムネイル、ファイルＲ，Ｔについては第３ページから生成された第２のサムネイルに切り替わっている。
【００２３】
＜機能構成＞
図４は、上記のサムネイルの表示を実現するための、サーバ１００の機能構成の具体例を示すブロック図である。図４の各機能は、サーバ１００のＣＰＵ１０がＲＯＭ１１に記憶されているプログラムをＲＡＭ１２上に読み出して実行することで、主にＣＰＵ１０によって実現される。しかしながら、少なくとも一部機能が、図１に示された装置構成、または図示されていない電気回路などのハードウェア構成によって実現されてもよい。
【００２４】
図４を参照して、サーバ１００のＨＤＤ１３などのメモリは、コンテンツファイルを記憶するための記憶領域であるコンテンツファイル記憶部１３１と、後述する特徴量の測定データを記憶するための記憶領域である特徴量記憶部１３２とを含む。さらに図４を参照して、ＣＰＵ１０は、端末装置３００から指定されたフォルダ内のファイルのサムネイルをネットワークコントローラ１５を介して端末装置３００に渡して、タッチパネル３３に表示させるための表示部１０１と、ファイルの特徴領域からサムネイルを作成するための作成部１０２と、記憶されている特徴量の測定データを参照して、ファイルからサムネイルを作成するための領域である特徴領域を抽出するための抽出部１０３と、後述するファイルについての特徴量をパラメータごとに取得するための特徴量取得部１０４と、第１のサムネイルが表示装置である端末装置３００に表示された後に第２のサムネイルに切り替えるための切替部１０５と、ネットワークコントローラ１５を介して端末装置３００からパラメータの選択を受け付けるための選択部１０６と、ユーザによる表示装置である端末装置３００の閲覧状況を検出するための検出部１０７とを含む。
【００２５】
図５は、メモリに記憶されている、あるファイルに関する特徴量の具体例を示す図である。予め、パラメータとして、当該ファイルが表示されていた平均時間（平均滞在時間）や、当該ファイルについて得た同意の総数（同意された回数・同意総計など）や、当該ファイルになされた書き込みの数（アノテーション数総計）や、当該ファイルが紹介された回数またはその内容（引用情報）などが設定されており、その値を特徴量と称する。パラメータの他の例としては、たとえば、キーワードの登場回数や、特定の色の文字数や、特定の操作（拡大、等）がなされた回数、などが挙げられる。
【００２６】
サーバ１００の特徴量取得部１０４は、これらパラメータについての特徴量をファイルの領域（たとえばページ）ごとに取得する。たとえば、平均表示時間に関して、特徴量取得部１０４はファイルの領域ごとにユーザについての表示時間を計測し、その平均時間を算出することで特徴量を取得する。同意の総数に関して、特徴量取得部１０４はファイルの領域ごとに同意が追加されたか否かを監視して、同意の数を測定することで特徴量を取得する。
【００２７】
領域は、ファイル全体であってもよいし、ファイルの一部でもよい。また、当該ファイルを構成する任意の１ページの全体であってもよいし、ページ内の特定の領域であってもよい。特徴量取得部１０４は、ファイルごとに特徴量を取得し、取得した特徴量をメモリに蓄積する。図５は、あるファイルについての取得された特徴量を表わしている。従って、サーバ１００のメモリには、図５のような特徴量がファイルごとに記憶されている。
【００２８】
特徴量取得部１０４は、さらに、ユーザごと、またはユーザグループごとに特徴量を取得してもよい。その場合、図５のような特徴量は、ユーザごとに記憶されることになる。
【００２９】
抽出部１０３は、サムネイルの表示対象の各ファイルの特徴量を読み出して、選択されたパラメータについての特徴量を参照する。そして、当該ファイルにおいて特徴量が所定の条件を満たす領域を、サムネイルを作成するための特徴領域として抽出する。所定の条件としては、たとえば特徴量が最大であること、最小であること、平均値に最も近いこと、などが挙げられる。また、抽出部１０３は、特定のユーザ（たとえばログインユーザ、等）についての特徴量を読み出してもよい。
【００３０】
なお、特徴量とは別に（または特徴量と併せて）、ファイルごとにサムネイルとしない領域、つまり、特徴領域としない領域が設定されていてもよい。この場合、抽出部１０３は、当該ファイルのうちのこの設定がなされていない範囲から特徴領域を抽出する。
【００３１】
作成部１０２は、特徴領域からサムネイルを作成する。一般的な作成方法としては特徴領域を予め規定されたサイズまで縮小する方法が挙げられるが、この方法のみに限定されるものではない。さらに、作成部１０２は、ファイルの属性等を参照して、たとえば当該ファイルの転送元を表わす情報などを付加情報として作成し、サムネイルに付加してもよい。付加情報としては当該ファイルの紹介者の写真や名前などが挙げられる。作成部１０２は、ユーザが未閲覧のファイルについてのみ、このような付加情報を作成してサムネイルに付加してもよい。
【００３２】
＜動作フロー＞
図６は、第１の実施の形態にかかるサーバ１００での動作の流れを表わすフローチャートである。図６のフローチャートに表わされた動作は、サーバ１００のＣＰＵ１０がＲＯＭ１１に記憶されているプログラムをＲＡＭ１２上に読み出して実行し、図４の各機能を発揮することによって実現される。図６の動作は、端末装置３００からフォルダが指定されると開始される。
【００３３】
図６を参照して、サーバ１００のＣＰＵ１０は、指定されたフォルダに記憶されている各ファイルについて、第１のサムネイルである、予め規定されているデフォルトのサムネイルを端末装置３００に表示する（ステップＳ１０１）。図２の画面例では、予めデフォルトとして各ファイルの１ページ目を特徴領域として作成されたサムネイル（つまり、１ページのサムネイル）が表示されている。
【００３４】
その後、図２の画面例においてパラメータのボタンがタッチされることで、端末装置３００からパラメータの選択を受け付けると（ステップＳ１０３でＹＥＳ）、ＣＰＵ１０は、第１のサムネイルを第２のサムネイルに切り替える（ステップＳ１０５）。ステップＳ１０５では、詳しくは、ＣＰＵ１０は、各ファイルの特徴量から選択されたパラメータについての特徴量を読み出して、その特徴量が所定の条件を満たす（たとえば最も大きい）領域を特徴領域と特定する（ステップＳ１０７）。そして、ＣＰＵ３０は、その特徴領域から第２のサムネイルを作成し（ステップＳ１０９）、端末装置３００に表示する（ステップＳ１１１）。
【００３５】
以上の動作によって、図２の画面例に表示されていた第１のサムネイルであるデフォルトのサムネイルが、図３の画面例では第２のサムネイルに切り替わる。さらに、サーバ１００は各ファイルについての特徴量を取得し続けるため、ユーザのファイルの使用状況（表示、等）によって特徴量が変化していく。そのため、その後のサーバ１００での動作によっては、図７のような第２のサムネイルに切り替わることもある。図７の画面例では、ファイルＪの第５ページの所定領域が特徴領域と特定され、そこから作成された第２のサムネイルに切り替わっている。
【００３６】
＜第１の実施の形態の効果＞
サーバ１００にて上記の動作が行なわれることで、デフォルトのサムネイルが、ユーザがファイルの識別に用いたい項目を表わしたパラメータを選択することでそのパラメータでの傾向に沿ったサムネイルに切り替わる。これにより、ユーザはサムネイルでファイルを識別し易くなる。
【００３７】
さらに、サーバ１００は各パラメータについてのファイルの特徴量を取得し続けているため、ユーザが当該表示システムを利用し続けるほどに当該ユーザによってより識別し易い領域がサムネイルとして提示されることになる。これにより、ユーザのニーズに柔軟に応えることができ、より使い勝手のよいファイル一覧またはファイルの構成要素のプレビューとなるサムネイルを表示することができる。
【００３８】
［第２の実施の形態］
＜動作概要＞
第２の実施の形態にかかる表示システムは、端末装置３００の閲覧状況を検出する。閲覧状況としては、たとえば、表示装置である端末装置３００を閲覧しているユーザや、当該ユーザのタッチパネル３３に向かう向きである閲覧方向や、ユーザまでの距離、第１のサムネイルの類似性などが挙げられる。表示システムは、第１のサムネイルの表示の後に検出された閲覧状況に応じて第１のサムネイルを第２のサムネイルに切り替える。
【００３９】
＜機能構成＞
端末装置３００は、上記の閲覧状況を検出するためのカメラや指紋センサやマイクなどの、図示しないセンサを含んでもよい。サーバ１００の検出部１０７は、ネットワークコントローラ１５を介して端末装置３００から撮影画像や音声などの検出情報を取得し、検出情報に基づいて上記の閲覧状況を検出する。たとえば、検出部１０７は、撮影画像を解析して閲覧しているユーザを特定したり、指紋センサからのセンサ信号を予め記憶している指紋データと照合することで閲覧しているユーザを特定したりしてもよい。また、検出部１０７は、端末装置３００から当該端末装置３００へのログイン情報を取得し、そのログイン情報に基づいて閲覧しているユーザを特定してもよい。
【００４０】
閲覧方向やユーザまでの距離などの他の閲覧状況も同様にして検出され得る。すなわち、ユーザまでの距離は、端末装置３００が図示しない一般の距離センサなどを搭載し、検出部１０７が当該センサからのセンサ信号に基づいて検出してもよい。また、端末装置３００が図示しない１つまたは２つのカメラを搭載し、検出部１０７が当該カメラ（またはカメラ群）からの撮影画像を解析して、撮影されたユーザのサイズを計測するなどして検出してもよい。
【００４１】
閲覧状況としてユーザの閲覧している第１のサムネイルの類似性を検出する場合、ＣＰＵ１０は各ファイルの第１のサムネイルの特徴領域を比較して類似度合を算出することで、これらの類似性を検出することができる。
【００４２】
切替部１０５は、第１のサムネイルの表示の後の検出部１０７からの検出結果に応じて第２のサムネイルに切り替える。
【００４３】
＜動作フロー＞
図８は、第２の実施の形態にかかるサーバ１００での動作の流れを表わすフローチャートである。図８のフローチャートに表わされた動作もまた、サーバ１００のＣＰＵ１０がＲＯＭ１１に記憶されているプログラムをＲＡＭ１２上に読み出して実行し、図４の各機能を発揮することによって実現される。図８の動作も、端末装置３００からフォルダが指定されると開始される。図８では、閲覧状況として閲覧しているユーザを検出する場合の動作を表わしている。
【００４４】
図８を参照して、サーバ１００のＣＰＵ１０は、指定されたフォルダに記憶されている各ファイルについて、第１のサムネイルである、予め規定されているデフォルトのサムネイルを端末装置３００に表示する（ステップＳ２０１）。
【００４５】
第１のサムネイルの表示の後、ＣＰＵ１０は、端末装置３００から取得した情報に基づいて当該端末装置３００を閲覧しているユーザを検出する。この方法として、たとえば、端末装置３００からログイン情報を取得し、ログインしているユーザを特定することで閲覧しているユーザを検出する方法であってもよい。また、端末装置３００から撮影画像を取得し、当該画像をたとえば予め登録されているユーザの写真をテンプレートとしてマッチング処理することで閲覧しているユーザを検出する方法であってもよい。
【００４６】
閲覧しているユーザを検出すると（ステップＳ２０３でＹＥＳ）、ＣＰＵ１０は、第１のサムネイルを第２のサムネイルに切り替える（ステップＳ２０５）。ステップＳ２０５では、詳しくは、ＣＰＵ１０は、当該ユーザについて取得されている特徴量をメモリから読み出して（ステップＳ２０７）、その特徴量に基づいて特徴領域を特定する（ステップＳ２０９）。このとき、ユーザごとに、特徴領域を抽出するために用いるパラメータが予め設定されていてもよいし、第１の実施の形態と同様に、閲覧しているユーザからパラメータの選択を受け付けてもよい。ＣＰＵ１０は、特定された特徴領域から第２のサムネイルを作成し（ステップＳ２１１）、端末装置３００に表示する（ステップＳ２１３）。
【００４７】
なお、上記ステップＳ２０３では、閲覧状況の他の例として、当該ユーザのタッチパネル３３に向かう向きである閲覧方向が検出されてもよい。この場合、ＣＰＵ１０は、特徴量から特定された特徴領域より第２のサムネイルを作成し、閲覧方向に、つまり、当該ユーザ側に向けて表示する。また、閲覧状況の他の例として、閲覧しているユーザまでの距離が検出されてもよい。この場合、ＣＰＵ１０は、特徴量から特定された特徴領域より第２のサムネイルを作成し、距離に応じたサイズで表示する。すなわち、ＣＰＵ１０は、検出された、端末装置３００に対するユーザの距離が規定距離よりも小さい（ユーザが近くにいる）場合にはサムネイルを規定サイズよりも小さくし、端末装置３００に対するユーザの距離が規定距離より大きい（ユーザが遠くにいる）場合にはサムネイルを規定サイズよりも大きくに表示するようにしてもよい。
【００４８】
＜第２の実施の形態の効果＞
以上の動作によって、図２の画面例に表示されていた第１のサムネイルであるデフォルトのサムネイルが、ユーザによる閲覧状況に応じて第２のサムネイルに切り替わる。これにより、ユーザのニーズに柔軟に応えることができ、より使い勝手のよいサムネイルを表示することができる。
【００４９】
［第３の実施の形態］
第３の実施の形態として、表示システムは、複数の項目の閲覧状況の検出結果を組み合わせて第２のサムネイルに切り替えてもよい。たとえば、閲覧しているユーザが複数検出された場合、さらに各ユーザの閲覧方向を検出し、それら検出結果に応じて第１のサムネイルを第２のサムネイルに切り替えてもよい。
【００５０】
図９は、第３の実施の形態にかかるサーバ１００での動作の流れを表わしたフローチャートである。主に、図８との違いについて説明する。すなわち、図９を参照して、第３の実施の形態では、閲覧しているユーザを検出すると（ステップＳ２０３でＹＥＳ）、ＣＰＵ１０は、さらに各ユーザの閲覧方向を検出する（ステップＳ２０４）。そして、ＣＰＵ１０は、これら検出結果に応じて第１のサムネイルを第２のサムネイルに切り替える（ステップＳ２０５）。この場合、ステップＳ２０５でＣＰＵ１０は、上記ステップＳ２１１で第２のサムネイルを作成すると、検出した閲覧方向に応じて表示方向を変換した上で（ステップＳ２１２）、ステップＳ２１３で表示する。
【００５１】
図１０および図１１は、第３の実施の形態での表示例を表わした図である。いずれ図も第１のサムネイルの表示の後に閲覧状況として３人のユーザが検出された場合の第２のサムネイルの表示例を表わしている。図１０の場合、３人のユーザは端末装置３００に対して同じ方向にあり、閲覧方向が同じ方向と検出された場合である。この場合、ＣＰＵ１０は、各ユーザ用の第２のサムネイルを、同じ方向に表示する。このとき、ＣＰＵ１０は、図１０に示されたように、同じファイルについての第２のサムネイルが共通する場合（つまり、特徴領域が同じ場合）は１つ表示し、異なる場合は重ねて表示してもよい。また、ログインの有無や検出された順などによって第２のサムネイルのサイズを変えてもよい。
【００５２】
図１１の場合、３人のユーザのうちの１人が端末装置３００に対して逆側に位置し、閲覧方向が反対方向と検出された場合である。この場合、ＣＰＵ１０は、それぞれのユーザ用の第２のサムネイルを、各閲覧方向に向けて表示する。このとき、ＣＰＵ１０は、図１１に示されたように、同じファイルについての第２のサムネイルが共通する場合（つまり、特徴領域が同じ場合）は、閲覧方向を同じとするユーザの多い方向に１つ表示し、第２のサムネイルが異なる場合のみ、閲覧方向に応じて表示するようにしてもよい。
【００５３】
＜第３の実施の形態の効果＞
以上の動作によって、図２の画面例に表示されていた第１のサムネイルであるデフォルトのサムネイルが、ユーザによる閲覧状況により細やかに応じて第２のサムネイルに切り替わる。これにより、ユーザのニーズにより柔軟に応えることができ、より使い勝手のよいサムネイルを表示することができる。
【００５４】
［第４の実施の形態］
なお、以上の第１〜第３の実施の形態では、サーバ１００のＨＤＤ１３に格納されたファイルについてサムネイルを示す例について説明してきたが、サーバ１００が他の装置である第２の記録装置にアクセスし、当該第２の記録装置に格納されているフォルダやファイルについても同様の処理を行なってサムネイルを示してもよい。
【００５５】
この場合、上述のＣＰＵ１０が特徴量を取得するための機能は、図示しない第２の記録装置に含まれるＣＰＵによって実現され、その結果取得された特徴量をサーバ１００が参照する、または取得してもよい。またあるいは、特徴量を取得するための機能は、サーバ１００および第２の記録装置とはさらに異なる、図示していない、コンテンツファイルを記憶していない他の処理装置に含まれるＣＰＵによって実現されてもよい。またさらには、端末装置３００のＣＰＵ３０が実現してもよい。
【００５６】
つまり、有線無線を問わず、ネットワークで接続された装置間において、端末装置３００にてファイルの一覧およびファイルの構成要素のプレビューを行なう場合において、その端末装置３００からアクセス可能な場所に格納されているファイルについて、それまでの特徴量を踏まえてサムネイルの一覧が表示可能に構成されていれば、各装置が実現する機能は上記の説明に限定されるものではない。すなわち、上記の特徴量記憶部１３２やコンテンツファイル記憶部１３１や作成部１０２や抽出部１０３や特徴量取得部１０４や切替部１０５など、図４に示された各機能は、どの装置によって実現されても、また、異なる装置で実現されてもよい。
【００５７】
［第５の実施の形態］
さらに、一般的なＰＣなどの処理装置や表示装置を上記のサーバ１００として動作させるためのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００５８】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００５９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６０】
提供されるプログラム製品は、ハードディスクなどのプログラム格納部にインストールされて実行される。なお、プログラム製品は、プログラム自体と、プログラムが記録された記録媒体とを含む。
【００６１】
［まとめ］
本発明の局面は、次のように表わすことができる。
【００６２】
（１）コンテンツファイルからサムネイルを作成し、表示装置に表示する処理を行なう装置であって、前記コンテンツファイルについての特徴量をパラメータごとに取得するための特徴量取得手段（特徴量取得部１０４）と、前記特徴量に基づいて、前記コンテンツファイルのうちの特徴領域を抽出するための抽出手段（抽出部１０３）と、前記特徴領域から前記サムネイルを作成するための作成手段（作成部１０２）と、前記サムネイルを前記表示装置に表示するための表示手段（表示部１０１）と、前記作成手段で作成された第１のサムネイルが前記表示装置に表示された後に、前記特徴領域から作成された第２のサムネイルに切り替えるための切替手段（切替部１０５）とを備える、処理装置。
【００６３】
これにより、当該処理装置は、閲覧者に有用なサムネイルを表示装置に表示することができる。
【００６４】
（２）前記パラメータの選択を受け付けるための選択手段（選択部１０６）をさらに備え、前記第２のサムネイルは、前記第１のサムネイルが表示された後に選択された前記パラメータの選択を受け付け、選択された前記パラメータに関する前記特徴量に基づいて抽出された前記特徴領域から作成されたサムネイルである、（１）に記載の処理装置。
【００６５】
これにより、当該処理装置は、ユーザのニーズに応じた有用なサムネイルを表示装置に表示することができる。
【００６６】
（３）ユーザによる前記表示装置の閲覧状況を検出するための検出手段（検出部１０７）をさらに備え、前記切替手段は、前記第１のサムネイルが表示された後に前記検出手段によって検出された前記閲覧状況に応じて前記第１のサムネイルを前記第２のサムネイルに切り替える、（１）に記載の処理装置。
【００６７】
これにより、当該処理装置は、閲覧状況に応じた有用なサムネイルを表示装置に表示することができる。
【００６８】
（４）前記第２のサムネイルは、前記第１のサムネイルの表示の後に前記検出手段が前記表示装置を閲覧しているユーザを検出し、検出された前記ユーザに関連付けて記憶されている前記特徴量に基づく前記特徴領域から作成されたサムネイルである、（３）に記載の処理装置。
【００６９】
これにより、当該処理装置は、閲覧者であるユーザに応じた有用なサムネイルを表示装置に表示することができる。
【００７０】
（５）前記第１のサムネイルの表示の後に前記検出手段が前記表示装置を閲覧している複数のユーザを検出すると、前記切替手段は、前記第１のサムネイルを、前記複数のユーザそれぞれに関連付けて記憶されている前記特徴量に基づく前記特徴領域から作成された複数の前記第２のサムネイルに切り替え、前記表示手段は、前記複数の第２のサムネイルを併せて表示する、（４）に記載の処理装置。
【００７１】
これにより、当該処理装置は、閲覧者である、複数のユーザにそれぞれ応じた有用なサムネイルを表示装置に表示することができる。
【００７２】
（６）前記検出手段は、前記複数のユーザの前記表示装置に対する閲覧方向も検出し、前記表示手段は、前記複数の第２のサムネイルを前記閲覧方向に応じた方向に表示する、（５）に記載の処理装置。
【００７３】
これにより、当該処理装置は、閲覧者であるユーザに応じた有用なサムネイルを表示装置に見やすく表示することができる。
【００７４】
（７）コンテンツファイルからサムネイルを作成して表示装置に表示する処理の方法であって、前記表示装置に前記コンテンツファイルから生成された第１のサムネイルを表示するステップ（Ｓ１０１）と、前記第１のサムネイルの表示の後に、前記第１のサムネイルを第２のサムネイルに切り替えるステップ（Ｓ１０５）とを備え、前記切り替えるステップは、パラメータごとに取得された前記コンテンツファイルについての特徴量に基づいて、前記コンテンツファイルのうちの特徴領域を抽出するステップ（Ｓ１０７）と、前記特徴領域から前記第２のサムネイルを作成するステップ（Ｓ１０９）とを含む、処理方法。
【００７５】
この処理方法を採用することにより、閲覧者に有用なサムネイルを表示装置に表示することができる。
【００７６】
（８）コンピュータに、コンテンツファイルからサムネイルを作成して表示装置に表示する処理を実行させるプログラムであって、前記表示装置に前記コンテンツファイルから生成された第１のサムネイルを表示するステップ（Ｓ１０１）と、前記第１のサムネイルの表示の後に、前記第１のサムネイルを第２のサムネイルに切り替えるステップ（Ｓ１０５）とを前記コンピュータに実行させ、前記切り替えるステップは、パラメータごとに取得された前記コンテンツファイルについての特徴量に基づいて、前記コンテンツファイルのうちの特徴領域を抽出するステップ（Ｓ１０７）と、前記特徴領域から前記第２のサムネイルを作成するステップ（Ｓ１０９）とを含む、処理プログラム。
【００７７】
この処理プログラムによって、コンピュータに、閲覧者に有用なサムネイルを表示装置に表示する処理を実行させることができる。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７９】
１０，３０  ＣＰＵ、１１，３１  ＲＯＭ、１２，３２  ＲＡＭ、１３  ＨＤＤ、１４  入力装置、１５，３４  ネットワークコントローラ、３３  タッチパネル、１００  サーバ、１０１  表示部、１０２  作成部、１０３  抽出部、１０４  特徴量取得部、１０５  切替部、１０６  選択部、１０７  検出部、１３１  コンテンツファイル記憶部、１３２  特徴量記憶部、３００  端末装置。
【図１】
2015060514.tif 000003
【図２】
2015060514.tif 000004
【図３】
2015060514.tif 000005
【図４】
2015060514.tif 000006
【図５】
2015060514.tif 000007
【図６】
2015060514.tif 000008
【図７】
2015060514.tif 000009
【図８】
2015060514.tif 000010
【図９】
2015060514.tif 000011
【図１０】
2015060514.tif 000012
【図１１】
2015060514.tif 000013